(57)【特許請求の範囲】
【請求項１】
建物の壁面に取り付けられたベルト状物と、収納部を形成した四角形のシート状物とを備え、ベルト状物の側部に取り付けられる第１のファスナー部材と、シート状物の縁部に取り付けられる第２のファスナー部材とを有し、それぞれのファスナー部材は、これらファスナー部材同士の間をスライダーが走ることで開閉するエレメントを有し、ベルト状物とシート状物同士は、それぞれのファスナー部材のエレメント同士の係合によって接合され、接合時に走らせるスライダーが、エレメントの端に到達し、エレメントから離脱できることにより、ベルト状物とシート状物同士の脱着を可能とし、シート状物に形成された収納部に植物生育手段を配置することを特徴とする壁面緑化システム。
【請求項２】
四角形のシート状物が、２以上のベルト状物と接合されていることを特徴とする請求項１記載の壁面緑化システム。
【請求項３】
ベルト状物が、２以上の四角形のシート状物と接合されていることを特徴とする請求項１または２記載の壁面緑化システム。
【発明の詳細な説明】
【技術分野】
【０００１】
本発明は、建物の壁面に植物を生育する手段を設ける壁面緑化システムに関するものである。
【背景技術】
【０００２】
近年、二酸化炭素の排出を抑制して地球温暖化を防ぐ方法の一つとして、建物の屋上で植物を生育する方法が採用されている。さらに、建物の屋上だけではなく、壁面でも植物の生育が行われている。
【０００３】
しかし、建物の屋上で植物を生育する場合と異なり、壁面で植物を生育する場合には、土壌などの植物生育手段を壁面に取り付ける方法や取り付ける位置が限定され、また植物生育手段の交換が困難であるなどの問題を有している。
【先行技術文献】
【特許文献】
【０００４】
【特許文献１】特開２００８−０７９５１９号公報
【特許文献２】特開２００９−０５５７９４号公報
【発明の概要】
【発明が解決しようとする課題】
【０００５】
本発明の課題は、建物の壁面への植物生育手段の設置や取り外しが容易であり、設置位置を自由に選べることができる壁面緑化システムを提供することである。
【課題を解決するための手段】
【０００６】
本発明者らは、上記課題について検討した結果、ベルト状物の側部に取り付けられた第１のファスナー部材が有するエレメントと、シート状物縁部に取り付けられた第２のファスナー部材が有するエレメントを、これらファスナー部材同士の間に、エレメントの端に到達したなら離脱可能なスライダーを走らせることで、ファスナー部材同士を係合又は引き離し、建物の壁面に取り付けられたベルト状物と、植物育成手段を収納した四角形のシート状物とを、ファスナーで接合又は離脱することによって、上記課題が解決できることを見出し、本発明に到達した。
【０００７】
すなわち、本発明の要旨は、下記のとおりである。
（１）建物の壁面に取り付けられたベルト状物と、収納部を形成した四角形のシート状物とを備え、ベルト状物の側部に取り付けられる第１のファスナー部材と、シート状物の縁部に取り付けられる第２のファスナー部材とを有し、それぞれのファスナー部材は、これらファスナー部材同士の間をスライダーが走ることで開閉するエレメントを有し、ベルト状物とシート状物同士は、それぞれのファスナー部材のエレメント同士の係合によって接合され、接合時に走らせるスライダーが、エレメントの端に到達し、エレメントから離脱できることにより、ベルト状物とシート状物同士の脱着を可能とし、シート状物に形成された収納部に植物生育手段を配置することを特徴とする壁面緑化システム。
（２）四角形のシート状物が、２以上のベルト状物と接合されていることを特徴とする（１）記載の壁面緑化システム。
（３）ベルト状物が、２以上の四角形のシート状物と接合されていることを特徴とする（１）または（２）記載の壁面緑化システム。
【発明の効果】
【０００８】
本発明の壁面緑化システムは、ベルト状物の側部に取り付けられた第１のファスナー部材が有するエレメントと、シート状物縁部に取り付けられた第２のファスナー部材が有するエレメントを、これらファスナー部材同士の間に、エレメントの端に到達したなら離脱可能なスライダーを走らせることで、ファスナー部材同士を係合又は引き離し、建物の壁面に取り付けられたベルト状物と、植物育成手段を収納した四角形のシート状物とを、ファスナーで接合又は離脱することによって、前記収納部に植物育成手段が設置又は撤去される。このように、ファスナーを利用して壁面に植物育成手段を設けるので、植物育成手段の取り付けや取り外しが容易であり、取り付け位置を自由に選ぶことが可能である。
【図面の簡単な説明】
【０００９】
【図１】図１は、壁面緑化システムを示した説明図である（実施例１）。
【図２】図２は、壁面緑化システムを示した説明図である（実施例２）。
【図３】図３は、ベルト状物とシート状物との接合を示した説明図である。
【発明を実施するための形態】
【００１０】
図１は、本発明の壁面緑化システムの一例を説明する図である。図１では、４本のベルト状物１が、建物の壁面２に沿って鉛直方向に取り付けられ、３個のシート状物３の左右端がファスナーによってベルト状物１に接合される。そして、シート状物３に形成された収納部４には、植物生育手段８が配置される。
【００１１】
ベルト状物１を壁面２に取り付ける方法や取り付ける箇所は限定されず、収納部４を形成したシート状物３がベルト状物１に接合され、そして収納部４に植物生育手段８が配置されても、ベルト状物１が壁面２からはずれない強度を有していればよい。
壁面２に取り付けられるベルト状物１の方向は、図１では、鉛直方向であるが、シート状物３のファスナー部材の取り付け方向が対応しておれば、例えば図２に示すように水平方向でも、またそれらから角度を有する方向でもよい。
【００１２】
ベルト状物１には、エレメント５を有するファスナー部材が取り付けられ、このエレメント５は、シート状物３に設けられたエレメント６と係合する。シート状物３の接合位置に応じて、エレメント５を有するファスナー部材は、ベルト状物１の左右端部の両側、または片側に取り付けられる。
ベルト状物１におけるファスナー部材の長さは、接合するシート状物３のファスナー部材の長さより長くてもよい。ベルト状物１におけるファスナー部材の長さを長くすることによって、複数のシート状物３を同一のベルト状物１に接合することが可能となり、またシート状物３の接合位置の変更も容易となる。
【００１３】
本発明において、シート状物３には収納部４が形成され、この収納部４に植物生育手段８が配置される。収納部４の形状は、配置される植物生育手段８の形状に適合するように形成される。
また、シート状物３には、エレメント６を有するファスナー部材が取り付けられ、このエレメント６は、ベルト状物１に設けられたエレメント５と係合する。
シート状物３におけるファスナー部材の取り付け方向は、建物壁面２に取り付けられたベルト状物１の方向と同じ方向とする。
またシート状物３におけるファスナー部材の取り付け位置は、限定されないが、植物生育手段８が安定してシート状物３に収納できる位置であればよい。シート状物３におけるファスナー部材の取り付け位置としては、たとえば、シート状物３の上端部の他、図１に示すようにシート状物３の左右両端部、図２に示すようにシート状物３の上下左右４端部などが挙げられる。
【００１４】
ベルト状物１とシート状物３とは、それぞれに取り付けられたファスナー部材が有するエレメント５、６を、スライダー７により、係合することにより、接合される。すなわち、図３に示すように、ベルト状物１とシート状物３の接合時には、エレメント５、６どうしを揃えてスライダー７を走らせることにより、エレメント５、６どうしを係合させる。スライダー７がエレメント６の他端に到達したなら、スライダー７をエレメント５、６から離脱させる。
【００１５】
本発明の壁面緑化システムにおいては、シート状物３に形成された収納部４に、植物生育手段８が配置される。植物生育手段８としては、土壌が挙げられるが、このほかに、貯水手段、給水手段、排水手段を備えてもよい。
【実施例】
【００１６】
実施例１
（ベルト状物の作製）
強度が８．０ｇ／デニールの１０００ｄ／１９２ｆ、５００ｄ／９６ｆ、２５０ｄ／４８ｆの原糸（ユニチカ社製Ｅ−７５０）を用いて、ニードル織機の経糸に１０００ｄ／１９２ｆ、耳部の経糸に２５０ｄ／４８ｆ、緯糸に５００ｄ／９６ｆに用いて、耳部緯糸は２５０ｄ／４８ｆの絡み糸でループを形成してほつれ止めをし、本体部を２／２杉綾組織、耳部を２／２綾織で二重織として製織した後、１８０℃×１０分間で熱処理加工を行って、経密度１５０本／ｉｎ、緯密度２０本／ｉｎ、厚さ１．３ｍｍ、幅２５ｍｍのベルトを得た。
このベルトの長さ方向にエスケィオー社製の１５ＶＳ線ファスナーを縫製して左右端部両側に取り付け、巾７５ｍｍ×長さ７００ｃｍのベルト状物を作製した。
（収納部を形成したシート状物の作製）
ユニチカ社製ポリエステル原糸１１００Ｔ１９２ｆ(Ｅ７５０タイプ)を用いて、ウォータージェットルームで平組織、２０×２０(本／２．５４ｃｍ)の織密度にて製織を行い、押し出しカレンダー加工にてＬＤＰＥ（例えば、住友化学社製スミカセン）を被覆加工し、シートを作製した。
このシートを、巾１８７．５ｃｍ×長さ１８７．５ｃｍと、巾１８７．５ｃｍ×長さ１００ｃｍと、側面用の１／４円（ｒ＝０．２３ｍ）とに切断し、図１に示すような収納部を形成したシート状物を作製した。なお、収納部を吊り下げるベルトには上記方法で作製したベルトを使用した。
このシート状物の左端部と右端部に、エスケィオー社製の１５ＶＳ線ファスナーを縫製して取り付けた。
（建物壁面へのベルト状物の取り付けとシート状物の接合）
ベルト状物４本を２ｍおきに建物壁面に鉛直方向に取り付けし、収納部を形成したシート状物を、左端ゾーンには下部方向から５０ｃｍの個所に、中心ゾーンには下部方向から２５０ｃｍの個所に、右端ゾーンには下部方向から４５０ｃｍの個所に、それぞれベルト状物とシート状物のファスナー部材のエレメント同士を係合して接合した。
（植物生育手段の配置）
ベルト状物に接合されたシート状物の収納部に植物生育用の土壌を配置した。
【００１７】
実施例２
（ベルト状物の作成）
実施例１と同様にして、巾７５ｍｍ×長さ６００ｃｍのベルト状物を作製した。
また、実施例１と同様にして作製した巾７５ｍｍ×長さ７００ｃｍのベルト状物の裏面に、端部から５０、２５０、４５０、６５０ｃｍ毎に８５ｍｍのベルト通しを作製した。
（収納部を形成したシート状物の作製）
実施例１と同様にして作製したシート状物について、その上下左右端部に、エスケィオー社製の１５ＶＳ線ファスナーを縫製して取り付けた。
（建物壁面へのベルト状物の取り付けとシート状物の接合）
ベルト通しを有する巾７５ｍｍ×長さ７００ｃｍのベルト状物４本を２ｍおきに建物壁面に鉛直方向に取り付けた。また、巾７５ｍｍ×長さ６００ｃｍのベルト状物４本を２ｍおきに水平方向にして、先に取り付けたベルト状物のベルト通しに通してから、建物壁面に取り付けた。
得られた格子状のベルト状物に、実施例１と同じ配置になるように、シート状物を接合した。
（植物生育手段の配置）
ベルト状物に接合されたシート状物の収納部に植物生育用の土壌を配置した。
【符号の説明】
【００１８】
１  ベルト状物
２  建物壁面
３  シート状物
４  収納部
５、６  エレメント
７  スライダー
８  植物生育手段
【図１】
0005586393.tif 000002
【図２】
0005586393.tif 000003
【図３】
0005586393.tif 000004